(57)【要約】【課題】コイルの巻き方等に特別な工夫を必要とせず、全周波数帯域において高い減衰特性を得ることができるリアクトルと、これを用いたノイズフィルタの提供。【解決手段】図はコモンモードリアクトルの断面を示すもので、磁心１と、磁心用ケース２と、磁心用ケース２を介して磁心１を巻回するコイル３とを備えたコモンモードリアクトルの、上記磁心用ケース２として、誘電正接が高々０．０００３程度の従来のものよりも１０倍（０．００３）以上大きな材料のものを用いることにより、特に高周波領域におけるインピーダンス減衰特性の改善を図る。【選択図】図１
2008060495.tif 000002
【特許請求の範囲】
【請求項１】
磁心と、磁心用ケースと、磁心用ケースを介して磁心を巻回するコイルとを備えたリアクトルにおいて、
前記磁心用ケースとして、誘電正接が０．００３以上のものを用いることを特徴とするリアクトル。
【請求項２】
磁心と、磁心用ケースと、磁心用ケースを介して磁心を巻回するコイルとを備えたリアクトルにおいて、
前記磁心用ケースの厚さを、２ｍｍ以上とすることを特徴とするリアクトル。
【請求項３】
磁心と、磁心用ケースと、磁心用ケースを介して磁心を巻回するコイルとを備えたリアクトルにおいて、
前記コイルの皮膜厚さを、０．１ｍｍ以上とすることを特徴とするリアクトル。
【請求項４】
磁心と、磁心用ケースと、磁心用ケースを介して磁心を巻回するコイルとを備えたリアクトルにおいて、
前記磁心用ケースとして、誘電正接が０．００３以上かつ厚さが２ｍｍ以上のものを用いることを特徴とするリアクトル。
【請求項５】
磁心と、磁心用ケースと、磁心用ケースを介して磁心を巻回するコイルとを備えたリアクトルにおいて、
前記磁心用ケースとして、誘電正接が０．００３以上で、前記コイルの皮膜厚さが０．１ｍｍ以上のものを用いることを特徴とするリアクトル。
【請求項６】
磁心と、磁心用ケースと、磁心用ケースを介して磁心を巻回するコイルとを備えたリアクトルにおいて、
前記磁心用ケースの厚さが２ｍｍ以上で、前記コイルの皮膜厚さが０．１ｍｍ以上のものを用いることを特徴とするリアクトル。
【請求項７】
磁心と、磁心用ケースと、磁心用ケースを介して磁心を巻回するコイルとを備えたリアクトルにおいて、
前記磁心用ケースとして、誘電正接が０．００３以上かつ厚さが２ｍｍ以上で、前記コイルの皮膜厚さが０．１ｍｍ以上のものを用いることを特徴とするリアクトル。
【請求項８】
請求項１〜７のいずれか１つに記載のリアクトルを用いるノイズフィルタ。
【発明の詳細な説明】
【技術分野】
【０００１】
この発明は、リアクトルおよびリアクトルを用いたノイズフィルタに関する。
【背景技術】
【０００２】
一般に、フィルタ用のリアクトルは高周波ノイズを減衰させる効果を持ち、主として電気，電子回路内やその電源部などに接続して使用される。以下では、例えば特許文献１に記載されているような、コモンモードリアクトルを例に説明する。
図３にその一般的な適用例を示す。図示のように、回路１と回路２との間にコモンモードリアクトルを接続すると、回路間のコモンモードの高周波ノイズが減衰する。なお、その減衰特性は、コモンモードリアクトルのインピーダンスに依存する。
【０００３】
コモンモードリアクトルは磁心と、磁心を巻くコイル（巻線）とからなり、コイルは２相または３相で構成される。図４に、２相コイルのコモンモードリアクトルの例を示している。また、コイル間を絶縁するために通常は皮膜付き導線が用いられ、さらに、コイルと磁心との間を絶縁するために被覆やケース付きの磁心が用いられる。皮膜付き導線と磁心ケースを持つ例を、図５に示す。図５（ａ）はリアクトル、同（ｂ）はコイルの断面をそれぞれ示す。
【０００４】
上述のようなコモンモードリアクトルでノイズをより多く除去するためには、一般的にはコモンモードリアクトルのインピーダンスを或る程度大きくして、減衰特性を向上させることが考えられる。そこで、コモンモードリアクトルのインピーダンスを大きくするためにコイルの巻数を増やすと、コモンモードリアクトルの浮遊容量が増加し、高周波領域のインピーダンスが低下する。すなわち、ノイズフィルタのコモンモードノイズに対する減衰特性は、低周波領域では向上するものの、高周波領域については図６のように劣化することになる。
【０００５】
【特許文献１】特開２００１−１１２２６６号公報
【発明の開示】
【発明が解決しようとする課題】
【０００６】
上記のような場合に、ノイズフィルタの減衰特性を高周波領域において向上させようとすると、コモンモードリアクトルの浮遊容量を小さくする必要があり、コイルの巻数を減らすか、または特殊な巻き方をしたコモンモードリアクトルを用いなければならない。
しかし、コイルの巻数を減らすとインピーダンスが低下し、ノイズフィルタの低周波領域における減衰特性が低下することになる。
【０００７】
一方、特殊な巻き方をしたコモンモードリアクトルを用いるものは、生産性の低下およびコスト高を招くことになる。つまり、従来のノイズフィルタでは、ノイズに対し広い周波数帯域において高い減衰特性を得ることは困難であると云う問題がある。
したがって、この発明の課題は、コイルの巻き方等によらず、全周波数帯域において高い減衰特性を得ることができるリアクトルと、これを用いたノイズフィルタを提供することにある。
【課題を解決するための手段】
【０００８】
このような課題を解決するため、磁心と、磁心用ケースと、磁心用ケースを介して磁心を巻回するコイルとを備えたリアクトルにおいて、
請求項１の発明では、前記磁心用ケースとして、誘電正接が０．００３以上のものを用いることを特徴とし、
請求項２の発明では、前記磁心用ケースの厚さを、２ｍｍ以上とすることを特徴とし、
請求項３の発明では、前記コイルの皮膜厚さを、０．１ｍｍ以上とすることを特徴とする。
【０００９】
同様に、磁心と、磁心用ケースと、磁心用ケースを介して磁心を巻回するコイルとを備えたリアクトルにおいて、
請求項４の発明では、前記磁心用ケースとして、誘電正接が０．００３以上かつ厚さが２ｍｍ以上のものを用いることを特徴とし、
請求項５の発明では、前記磁心用ケースとして、誘電正接が０．００３以上で、前記コイルの皮膜厚さが０．１ｍｍ以上のものを用いることを特徴とし、
請求項６の発明では、前記磁心用ケースの厚さが２ｍｍ以上で、前記コイルの皮膜厚さが０．１ｍｍ以上のものを用いることを特徴とする。
【００１０】
請求項７の発明では、磁心と、磁心用ケースと、磁心用ケースを介して磁心を巻回するコイルとを備えたリアクトルにおいて、
前記磁心用ケースとして、誘電正接が０．００３以上かつ厚さが２ｍｍ以上で、前記コイルの皮膜厚さが０．１ｍｍ以上のものを用いることを特徴とする。
請求項８の発明では、上記請求項１〜７のいずれか１つを用いてノイズフィルタを構成することができる。
【発明の効果】
【００１１】
この発明によれば、コイルの巻き方等に特別な工夫を必要とせず、単に材料の特性などを選ぶことにより、全周波数帯域において高い減衰特性を得ることができるコイルと、これを用いたノイズフィルタを得ることが可能となる。
【発明を実施するための最良の形態】
【００１２】
図１はこの発明の実施の形態を説明するための説明図、図２はこの発明の効果を説明する特性図である。
一般に、コモンモードリアクトルの浮遊容量は、図１に示すように、コイル間で発生する浮遊容量（コイル間容量）Ｃ１や、磁心ケースに発生する浮遊容量（磁心ケース容量）Ｃ２などからなる。
【００１３】
ところで、磁心ケースや導線皮膜に用いられる材料の誘電損失は、低周波領域においては小さいか殆ど０に等しいが、高周波領域においては大きくなる。この発明はこのような性質に着目し、浮遊容量の誘電損失を従来よりも増加させることにより、高周波領域におけるインピーダンスを増加させ、高周波領域におけるノイズ減衰特性を向上させるものである。
【００１４】
従来、磁心ケースでは通常ポリエチレンやポリプロピレンが用いられるが、その誘電正接（ｔａｎδ）は高々０．０００３程度である。そこで、この発明では誘電正接が０．００３以上の磁心ケースを用いる。これにより、図１に示す磁心ケース容量Ｃ２の誘電損失が増加する。その材料としては、上記ポリエチレンやポリプロピレンに代えて、例えばエポキシ樹脂やビニルなどを用いることができ、ゴムなどを配合した樹脂を用いることができる。なお、誘電正接を０．００３以上としたのは、従来のものより有意にインピーダンスを増加させるには、１０倍程度の誘電正接が必要と考えられるからである。また、ここでは磁心ケースを想定しているが、磁心とコイルとの間に配置され磁心ケースと同等の機能を有するものであれば何でも良く、例えば磁心と一体になった皮膜でも構わない。
【００１５】
また、上記磁心ケースの厚さは１ｍｍ程度が一般的である。そこで、この発明では、一般的な磁心ケースよりも厚みのある、例えば厚さ２ｍｍ以上の磁心ケースを用いることにより、図１に示す磁心ケース容量Ｃ２の誘電損失を増加させる（磁心ケース容量Ｃ２自体は減少する）。なお、厚さを２ｍｍ以上としたのは、従来のものより有意にインピーダンスを増加させるには、２倍程度の誘電正接が必要と考えられるからである。この場合も、磁心ケースの代わりに、磁心とコイルとの間に配置され磁心ケースと同等の機能を有するものであれば何でも良く、例えば磁心と一体になった皮膜のようでも差し支えないのは上記と同様である。
【００１６】
さらに、コイルとして広く一般的に用いられる皮膜付き導線の皮膜厚さは、導線径０．１ｍｍの場合に高々０，０２ｍｍ程度で、導線径３．２ｍｍの場合に高々０，０７ｍｍ程度である。そこで、この発明では、一般的な皮膜付き導線よりも皮膜の厚いもの、例えば０．１ｍｍ以上のものをコイルとして用いることにより、図１に示すコイル間容量Ｃ１を増加させる（磁心ケース容量Ｃ２自体は減少する）。なお、厚さを０．１ｍｍ以上としたのは、従来のものより有意にインピーダンスを増加させるには、５倍程度の誘電正接が必要と考えられるからである。
【００１７】
以上のようにすることにより、コモンモードリアクトルのインピーダンスの周波数特性は図２のようになり、従来の場合の図６と比較すれば明らかなように、特に高周波領域で特性が改善されていることが分かる。
なお、以上ではコモンモードリアクトルの場合について説明したが、これに限らず通常のリアクトルにも適用することができる。磁心としてフェライトを想定しているが、これも磁性体ならば何を用いても良い。コイルにはエナメル銅線を想定しているが、これも皮膜付き導線ならば何を用いても良い。
さらに、上記のようなリアクトルは、図３で説明したようなコモンモードノイズフィルタ、または一般的なノイズフィルタとして利用することができるのは言うまでもない。
【図面の簡単な説明】
【００１８】
【図１】この発明の実施の形態を説明する説明図
【図２】この発明の効果を説明する特性図
【図３】コモンモードリアクトルの適用例の説明図
【図４】コモンモードリアクトルの一例を示す外観図
【図５】コモンモードリアクトルの一例を示す断面図
【図６】コモンモードリアクトルの周波数に対するインピーダンス特性図
【符号の説明】
【００１９】
１…磁心、２…磁心ケース、３…コイル、Ｃ１…コイル間容量、Ｃ２…磁心ケース容量。
【図１】
2008060495.tif 000003
【図２】
2008060495.tif 000004
【図３】
2008060495.tif 000005
【図４】
2008060495.tif 000006
【図５】
2008060495.tif 000007
【図６】
2008060495.tif 000008